(57)【要約】【課題】ビル内エレベーター式機械式駐車装置側から本体建物側に伝播される振動および固体伝播音を十分に抑制できるようにしたビル内エレベーター式機械駐車装置を提供する。【解決手段】本体建物の躯体５と、躯体５に対向する位置のエレベーター式機械駐車装置に複数の防振ゴム用ブラケット１３をそれぞれ固定し、各防振ゴム用ブラケット１３の躯体５側に滑り止め用プレート１５をそれぞれ固定し、各滑り止め用プレート１５の躯体５側と躯体５との間にそれぞれ防振ゴム装置１４を挟み込むように配置し、防振ゴム装置１４は、滑り止め用プレート１５側に配置されて高力ボルト２３によって防振ゴム用ブラケット１３に固定した防振ゴム用金物１６と、防振ゴム用金物１６の躯体５側に複数本の防振ゴム取り付けボルト２６によって取り付けられた防振ゴム１７を備えて構成した。【選択図】図４
2018204193.tif 000002
【特許請求の範囲】
【請求項１】
本体建物内にエレベーター式機械駐車装置を構成したビル内エレベーター式機械駐車装置において、
前記本体建物の躯体と、前記躯体に対向する位置の前記エレベーター式機械駐車装置に複数の防振ゴム用ブラケットをそれぞれ固定し、前記各防振ゴム用ブラケットの前記躯体側に滑り止め用プレートをそれぞれ固定し、前記滑り止め用プレートの前記躯体側と前記躯体との間にそれぞれ防振ゴム装置を挟み込むように配置し、前記防振ゴム装置は、前記滑り止め用プレート側に配置されて高力ボルトによって前記防振ゴム用ブラケットに固定した防振ゴム用金物と、前記防振ゴム用金物の前記躯体側に複数本の防振ゴム取り付けボルトによって取り付けられた防振ゴムを備えて構成したことを特徴とするビル内エレベーター式機械駐車装置。
【発明の詳細な説明】
【技術分野】
【０００１】
本発明は、本体建物内にエレベーター式機械駐車装置を構成したビル内エレベーター式機械駐車装置に関する。
【背景技術】
【０００２】
従来における本体建物内にエレベーター式機械駐車装置を構成したビル内エレベーター式機械駐車装置として、特開２００７−２２４６４４号公報（特許文献１）および特開２００５−２４８６６８号公報（特許文献２）に記載のものが知られている。
【０００３】
特許文献１には、エレベーター式駐車装置に装備される、車両搭載架台をエレベーターの昇降路と駐車棚とに横行させるための横行駆動装置であって、直下の駐車棚に近接し且つこの駐車棚にほぼ平行な下部水平循環路、および、直上の駐車棚に近接し且つこの駐車棚にほぼ平行な上部水平循環路をその旋回経路に含む無端チェーンと、該無端チェーンに配設された第一係合部材と、上記車両搭載架台に配設された、上記第一係合部材が左右移動不能に係合する被係合部材とを有してなるエレベーター式駐車装置の横行駆動装置が記載されている。
【０００４】
また特許文献２には、建屋内の中央部に上下方向にケージ昇降部を設けて、くし歯状のタイヤ支承部材を左右両側位置より水平方向内向きに備えたくし歯形リフトケージを昇降可能に収納し、且つ建屋の左右の一側に、入出庫バースを設けて、該入出庫バースの床面に、左右方向に延びて上記ケージ昇降部の一側に達するコンベヤを設け、更に、上記ケージ昇降部の下部位置に、上記くし歯形リフトケージの各タイヤ支承部材と交互配置ですれ違い可能に左右にくし歯状にベルトコンベヤを備えてなる車両移載装置を、ケージ昇降部の中央位置と上記入出庫バース側との間で自在にシフトできるようにし、上記建屋の１階部分を除く上記ケージ昇降部を挟む左右両側に格納スペースを設け、該格納スペースに、上記くし歯形リフトケージとの間で車両の受け渡しを行うくし歯形パレットを、上記ケージ昇降部へ出し入れ可能に収納してなる棚を多段に設けた構成を有することを特徴とするエレベーター式駐車装置が記載されている。
【先行技術文献】
【特許文献】
【０００５】
【特許文献１】特開２００７−２２４６４４号公報
【特許文献２】特開２００５−２４８６６８号公報
【発明の概要】
【発明が解決しようとする課題】
【０００６】
しかしながら、従来のビル内エレベーター式機械駐車装置は、エレベーター式機械式駐車装置の動作によって発生する振動が本体建物側に伝播されて固体伝搬音の発生や、振動障害が発生してしまう。これに対して、一般的には本体建物側にアンカーボルトを埋め込み、このアンカーボルトを利用して防振ゴム装置を取り付けるが、エレベーター式機械式駐車装置側から本体建物側に伝播される振動および固体伝播音を十分に抑制できないことが分かった。
【０００７】
そこで本発明の目的は、エレベーター式機械式駐車装置側から本体建物側に伝播される振動および固体伝播音を十分に抑制できるようにしたビル内エレベーター式機械駐車装置を提供することにある。
【課題を解決するための手段】
【０００８】
本発明は上記目的を達成するために、本体建物内にエレベーター式機械駐車装置を構成したビル内エレベーター式機械駐車装置において、前記本体建物の躯体と、前記躯体に対向する位置の前記エレベーター式機械駐車装置に複数の防振ゴム用ブラケットをそれぞれ固定し、前記各防振ゴム用ブラケットの前記躯体側に滑り止め用プレートをそれぞれ固定し、前記滑り止め用プレートの前記躯体側と前記躯体との間にそれぞれ防振ゴム装置を挟み込むように配置し、前記防振ゴム装置は、前記滑り止め用プレート側に配置されて高力ボルトによって前記防振ゴム用ブラケットに固定した防振ゴム用金物と、前記防振ゴム用金物の前記躯体側に複数本の防振ゴム取り付けボルトによって取り付けられた防振ゴムを備えて構成したことを特徴とする。
【０００９】
このような構成によれば、防振ゴム装置は躯体と滑り止め用プレート間で押し押し型となるため、エレベーター式機械駐車装置の運転時に生じさせる振動が、防振ゴム装置によって確実に遮断され、本体建物における躯体へ埋め込まれていたアンカーボルトや防振ゴム取付けボルトなどを通して、エレベーター式機械駐車装置側の振動が本体建物側へ伝搬していたのを阻止することができ、本体建物での固体伝搬音の発生や、振動障害が発生するのを防止することができる。
【発明の効果】
【００１０】
本発明によるビル内エレベーター式機械駐車装置によれば、防振ゴム装置は躯体と滑り止め用プレート間で押し押し型となるため、エレベーター式機械駐車装置の運転時に生じさせる振動が、防振ゴム装置によって確実に遮断され、本体建物における躯体へ埋め込まれていたアンカーボルトや防振ゴム取付けボルトなどを通して、エレベーター式機械駐車装置側の振動が本体建物側へ伝搬していたのを阻止することができ、本体建物での固体伝搬音の発生や、振動障害が発生するのを防止することができる。
【図面の簡単な説明】
【００１１】
【図１】本発明の一実施例によるビル内エレベーター式機械駐車装置の概略構成を示す断面図である。
【図２】図１に示したビル内エレベーター式機械駐車装置の平面図である。
【図３】図２に示した防振ゴム装置の平面図である。
【図４】図３に示した防振ゴム装置の側面図である。
【図５】交換作業の第一段階を示す防振ゴム装置の側面図である。
【図６】交換作業の第二段階を示す防振ゴム装置の側面図である。
【図７】交換作業の第三段階を示す防振ゴム装置の側面図である。
【図８】交換作業の第四段階を示す防振ゴム装置の側面図である。
【発明を実施するための形態】
【００１２】
以下、本発明の実施例を図面に基づいて説明する。
【００１３】
図１および図２は、本発明の一実施例によるビル内エレベーター式機械駐車装置の概略構成を示す断面図および平面図である。
【００１４】
本実施例のビル内エレベーター式機械駐車装置は、本体建物１内にエレベーター式機械駐車装置２が構成されている。本体建物１は、柱や梁３や壁４などの躯体５を有して構成されており、エレベーター式機械駐車装置２は、躯体５に近接した位置に配置された鉄骨柱６などを有して構成されている。一般にエレベーター式機械駐車装置２は、本体建物１の乗込口７から進入させた駐車車両を所定の位置に形成された駐車室まで搬送して格納したり、既に駐車室に格納されている駐車車両を乗込口７へと移動させて出庫させたりする構成であるため、複数の丸囲い８で示したように本体建物１とエレベーター式機械式駐車装置２との対向部間に防振ゴム装置を介在させた構成が採用されている。
【００１５】
より具体的には、図２に例示したエレベーター式機械式駐車装置２を用いて説明する。エレベーター式機械式駐車装置２は、ほぼ垂直に設置された四本のガイドレール９Ａ〜９Ｄと、各ガイドレール９Ａ〜９Ｄの軸方向に沿って昇降移動可能に構成された昇降台１０と、各ガイドレール９Ａ〜９Ｄの軸方向に沿った側方部に多段に形成された駐車室１１とを有しており、図１に示した乗込口７に待機させている昇降台１０上に駐車車両を搭載し、その後、駐車車両を搭載した状態の昇降台１０をガイドレール９Ａ〜９Ｄに沿って昇降移動させ、空状態の駐車室１１に配置されている移動台車１２上に駐車車両を受け渡して格納するように構成されている。
【００１６】
丸囲い８Ａでは、本体建物１の躯体５である梁３Ａ，３Ｂと、エレベーター式機械式駐車装置２側の鉄骨柱６Ａに固定された防振ゴム用ブラケット１３Ａ間に、防振ゴム装置１４Ａ，１４Ｂが構成されている。また丸囲い８Ｂでは、同様に本体建物１の躯体５と、躯体５に対向したエレベーター式機械式駐車装置２側の鉄骨柱６Ｂに固定された防振ゴム用ブラケット１３Ｂ間に、防振ゴム装置１４Ｃ，１４Ｄが構成されている。
【００１７】
同様にして、エレベーター式機械式駐車装置２の四隅には、本体建物１の躯体５との間に前後方向および左右方向にそれぞれ防振ゴム装置が配置され、エレベーター式機械式駐車装置２の動作によって発生する振動が本体建物１側に伝播されて固体伝搬音の発生や、振動障害が発生するのを防止している。また説明が前後するが、図１に示したエレベーター式機械式駐車装置２の高さ方向においても、本体建物１の躯体５とエレベーター式機械式駐車装置２間の多段にそれぞれ防振ゴム装置が配置され、エレベーター式機械式駐車装置２の動作によって発生する振動が本体建物１側に伝播されて固体伝搬音の発生や、振動障害が発生するのを防止している。
【００１８】
上述した各防振ゴム装置１４Ａ〜１４Ｄはほぼ同一構成であるから、ここでは防振ゴム装置１４を代表例として、基本的な構成について説明する。
【００１９】
図３および図４は、防振ゴム装置の平面図および側面図である。
【００２０】
エレベーター式機械式駐車装置２側の鉄骨柱６には、防振ゴム用ブラケット１３が溶接によって結合されており、防振ゴム用ブラケット１３における端部近傍上面側の所定位置には滑り止め用プレート１５が溶接によって結合されている。この滑り止め用プレート１５と、本体建物１側の柱あるいは梁もしくは壁などの躯体５間に、ほぼ三角形の防振ゴム用金物１６および防振ゴム１７を備えた防振ゴム装置１４が配置されている。
【００２１】
防振ゴム用金物１６は、図４に示すように防振ゴム用ブラケット１３の上面側に載置される固定面１８と、躯体５とほぼ平行に向き合う防振ゴム取り付け固定面１９と、補強用リブ２０を有している。固定面１８は防振ゴム用ブラケット１３への結合部として使用され、防振ゴム取り付け固定面１９は防振ゴム１７の取り付け面として使用される。
【００２２】
防振ゴム用ブラケット１３には、図４に示すように滑り止め用プレート１５よりも端部側に一対のボルト孔２１が形成されており、防振ゴム用金物１６の固定面１８には、図３に示すように各ボルト孔２１と合致する位置で、躯体５側に伸びた一対の長孔２２が形成されている。滑り止め用プレート１５の躯体５側における防振ゴム用ブラケット１３の上面側に、防振ゴム用金物１６の固定面１８を載置させると、防振ゴム用ブラケット１３の各ボルト孔２１と、防振ゴム用金物１６の各長孔２２がそれぞれ合致する。
【００２３】
防振ゴム用ブラケット１３の下面側から各ボルト孔２１に高力ボルト２３をそれぞれ挿入し、防振ゴム用金物１６の長孔２２から出た側にナット２４を締め付けることにより、防振ゴム用ブラケット１３に防振ゴム用金物１６が結合されている。一方、防振ゴム用金物１６における防振ゴム取り付け固定面１９の躯体５側には、防振ゴム１７が配置され、防振ゴム１７の端板２５の躯体５側から防振ゴム取り付けボルト２６を挿入し、防振ゴム取り付け固定面１９から出た防振ゴム取り付けボルト２６にナット２７をねじ込んで、防振ゴム用金物１６に防振ゴム１７が取り付けられている。
【００２４】
上述したように防振ゴム用ブラケット１３に固定した滑り止め用プレート１５と、躯体５との間に、防振ゴム用金物１６と防振ゴム１７を有する防振ゴム装置１４を挟み込むように配置している。このため、躯体５側に埋め込んだアンカーボルトを使用した場合のように防振ゴム装置１４の両端は、一端では押しで、かつ他端では引きとなる押し引き型ではなく、今回の防振ゴム装置１４の両端は、一端では押しで、かつ他端でも押しとなる押し押し型となる。
【００２５】
上述した押し引き型では、エレベーター式機械駐車装置２側が動作したとき、本体建物１に埋め込まれたアンカーボルトなどが伝播要素となって本体建物１側へ伝播され、本体建物１側で固体伝搬音や振動障害が発生してしまう。しかし、上述した押し押し型では、エレベーター式機械駐車装置２の運転時に生じさせる振動が、防振ゴム１７によって確実に遮断されるため、従来のように本体建物１における躯体５へ埋め込まれていたアンカーボルトや防振ゴム取付けボルトなどを通して、エレベーター式機械駐車装置２側の振動が本体建物１側へ伝搬していたのを阻止することができ、本体建物１での固体伝搬音の発生や、振動障害が発生するのを防止することができる。
【００２６】
しかも、防振ゴム用ブラケット１３と防振ゴム装置１４または防振ゴム用金物１６とは、溶接による結合ではなく、高力ボルト２３を用いた連結であるため、高力ボルト２３を取り外すと防振ゴム用ブラケット１３と防振ゴム装置１４または防振ゴム用金物１６を分離することができる。
【００２７】
次に、防振ゴム装置１４における防振ゴム１７の交換作業について説明する。
【００２８】
図５は、交換作業の第一段階を示す防振ゴム装置１４の側面図である。
【００２９】
先ず、防振ゴム用ブラケット１３と防振ゴム用金物１６間を結合していた高力ボルト２３のナット２４を緩めて、高力ボルト２３を取り外す。
【００３０】
図６は、交換作業の第二段階を示す防振ゴム装置１４の側面図である。
【００３１】
高力ボルト２３の取り外しによって防振ゴム用ブラケット１３から分離された防振ゴム用金物１６を上方へと移動する。このとき、防振ゴム用金物１６と結合状態の防振ゴム１７は劣化した状態であるため、防振ゴム用金物１６を滑り止め用プレート１５から容易に外すことができる。
【００３２】
図７は、交換作業の第三段階を示す防振ゴム装置１４の側面図である。
【００３３】
次いで、取り外した状態の防振ゴム用金物１６からナット２７を緩めて、防振ゴム取り付けボルト２６を抜き出し、劣化した状態の防振ゴム１７を取り外す。この劣化した状態を防振ゴム１７は廃棄する。その後、新品の防振ゴム１７Ａを防振ゴム１７の取り付け状態と同じように配置し、防振ゴム取り付けボルト２６およびナット２７によって防振ゴム用金物１６に取り付ける。
【００３４】
図８は、交換作業の第四段階を示す防振ゴム装置１４の側面図である。
【００３５】
新品の防振ゴム１７Ａを取り付けた防振ゴム用金物１６を、滑り止め用プレート１５と躯体５間に押し込んで配置する。この状態で、図３および図４で説明した防振ゴム用ブラケット１３のボルト孔２１と、防振ゴム用金物１６の長孔２２が合致するので、防振ゴム用ブラケット１３の下面側からボルト孔２１に新しい高力ボルト２３Ａを再び挿入し、防振ゴム用金物１６の長孔２２側から出た側に新しいナット２４Ａを締め付けて、防振ゴム用ブラケット１３に防振ゴム用金物１６を結合する。
【００３６】
上述した交換作業の説明から分かるように、高力ボルト２３を取り外すと、防振ゴム用ブラケット１３から防振ゴム用金物１６および防振ゴム１７を簡単に分離することができ、その後には、防振ゴム取り付けボルト２６を取り外すことによって、防振ゴム用金物１６から防振ゴム１７を簡単に分離することができる。こうして防振ゴム１７の交換作業は、簡単で、かつ短時間に完了させることができる。それ故に、ビル内エレベーター式機械駐車装置のオーナーおよびエンドユーザーに迷惑を掛けることもない。さらに、交換作業中の振動・騒音も少ないために、居住者に与える不快感も少ない。
【００３７】
防振ゴム用ブラケット１３から防振ゴム用金物１６間を高力ボルト２３による取り外し可能な状態で結合しているため、防振ゴム１７の交換作業のために防振ゴム装置１４の結合部の切断作業などを行う必要がない。従って、エレベーター式機械駐車装置２に駐車している駐車車両にはガソリンが人っているが、上述した交換作業時の金属部切断作業によって駐車車両への引火、爆発の危険性もないため、ビル内エレベーター式機械駐車装置を閉鎖したり駐車車両を他の機械駐車装置に移動させたりして防振ゴム１７の交換作業を行う必要もなくなり、簡単で安価な交換作業となる。
【００３８】
尚、図２に示したエレベーター式機械式駐車装置２では、昇降台１０としてフォーク式昇降台を使用し、移動台車１２としてフォーク式移動台車を示しているが、本発明はフォーク式に限らず、パレット式など他の構成のビル内機械駐車装置にも同様に適用することができる。
【００３９】
以上説明したように本発明は、本体建物１内にエレベーター式機械駐車装置２を構成したビル内エレベーター式機械駐車装置において、本体建物１の躯体５と、躯体５に対向する位置のエレベーター式機械駐車装置２に複数の防振ゴム用ブラケット１３をそれぞれ固定し、各防振ゴム用ブラケット１３の躯体５側に滑り止め用プレート１５をそれぞれ固定し、各滑り止め用プレート１５の躯体５側と躯体５との間にそれぞれ防振ゴム装置１４を挟み込むように配置し、防振ゴム装置１４は、滑り止め用プレート１５側に配置されて高力ボルト２３によって防振ゴム用ブラケット１３に固定した防振ゴム用金物１６と、防振ゴム用金物１６の躯体５側に複数本の防振ゴム取り付けボルト２６によって取り付けられた防振ゴム１７を備えて構成したことを特徴とする。
【００４０】
このような構成によれば、防振ゴム装置１４は躯体５と滑り止め用プレート１５間で押し押し型となるため、エレベーター式機械駐車装置２の運転時に生じさせる振動が、防振ゴム１７によって確実に遮断され、本体建物１における躯体５へ埋め込まれていたアンカーボルトや防振ゴム取付けボルトなどを通して、エレベーター式機械駐車装置２側の振動が本体建物１側へ伝搬していたのを阻止することができ、本体建物１での固体伝搬音の発生や、振動障害が発生するのを防止することができる。
【００４１】
また、防振ゴム１７の交換時には高力ボルト２３を取り外すと、防振ゴム用金物１６と共に防振ゴム１７を防振ゴム用ブラケット１３側から簡単に取り外すことができ、その後には、防振ゴム取り付けボルト２６を取り外すことによって、防振ゴム用金物１６から防振ゴム１７を分離し、新設の防振ゴムに簡単に交換することができる。こうして防振ゴム１７の交換作業は、簡単で、かつ短時間に完了させることができる。また、防振ゴム用ブラケット１３から防振ゴム用金物１６間を高力ボルト２３による取り外し可能な状態で結合しているため、防振ゴム１７の交換作業のために防振ゴム装置１４の結合部の金属の切断作業などを行う必要がない。従って、エレベーター式機械駐車装置２に駐車している駐車車両にはガソリンが人っているが、上述した交換作業時の金属部切断作業によって駐車車両への引火、爆発の危険性もないため、ビル内エレベーター式機械駐車装置を閉鎖したり駐車車両を他の機械駐車装置に移動させたりして防振ゴム１７の交換作業を行う必要もなくなり、簡単で安価な交換作業となる。
【符号の説明】
【００４２】
１    本体建物
２    エレベーター式機械駐車装置
５    躯体
１３  防振ゴム用ブラケット
１４  防振ゴム装置
１５  滑り止め用プレート
１６  防振ゴム用金物
１７  防振ゴム
２３  高力ボルト
２６  防振ゴム取り付けボルト
【図１】
2018204193.tif 000003
【図２】
2018204193.tif 000004
【図３】
2018204193.tif 000005
【図４】
2018204193.tif 000006
【図５】
2018204193.tif 000007
【図６】
2018204193.tif 000008
【図７】
2018204193.tif 000009
【図８】
2018204193.tif 000010